(57)【要約】【課題】形状や間取りを自由にかつ容易に設計することが可能なログハウスの構造設計装置および構造設計プログラムの提供。【解決手段】ログハウスの矩計情報を設定する矩計情報設定手段１２と、開口部および屋根形状を含む意匠情報を入力する意匠情報入力手段１３と、ログ壁の配置を入力するログ壁入力手段１４と、入力されたログ壁の配置および設定された矩計情報に従い、記憶手段１０に記憶されたログ材の寸法およびグルーブ形状に関するマスター情報に基づいてログ材を配置し、各ログ材が交差する部分に、記憶手段１０に記憶されたノッチ部の形状および寸法に関するマスター情報に基づいてノッチ部を形成し、かつ、意匠情報入力手段１３により入力された開口部および屋根形状に合わせたログ壁情報を生成するログ壁生成手段１５とを含む。【選択図】図１
2018200511.tif 000002
【特許請求の範囲】
【請求項１】
ログ材を構造材とするログハウスの構造設計装置であって、
ログ材の寸法およびグルーブ形状に関するマスター情報と、ログ材が交差する部分に形成されるノッチ部の形状および寸法に関するマスター情報と記憶する記憶手段と、
ログハウスの矩計情報を設定する矩計情報設定手段と、
開口部および屋根形状を含む意匠情報を入力する意匠情報入力手段と、
ログ壁の配置を入力するログ壁入力手段と、
前記ログ壁入力手段により入力されたログ壁の配置および前記矩計情報設定手段により設定された矩計情報に従い、前記記憶手段に記憶されたログ材の寸法およびグルーブ形状に関するマスター情報に基づいてログ材を配置し、各ログ材が交差する部分に、前記記憶手段に記憶されたノッチ部の形状および寸法に関するマスター情報に基づいてノッチ部を形成し、かつ、前記意匠情報入力手段により入力された開口部および屋根形状に合わせたログ壁情報を生成するログ壁生成手段と
を含むログハウスの構造設計装置。
【請求項２】
前記ログ壁情報を構成するログ材の加工データを出力する出力手段を含む請求項１記載のログハウスの構造設計装置。
【請求項３】
前記ログ壁入力手段は、ログ壁の上端レベルおよび下端レベルを指定可能であり、
前記ログ壁生成手段は、前記上端レベルおよび下端レベルが指定されたログ壁に対しては、前記意匠情報入力手段により入力された屋根形状に関わらず、前記上端レベルおよび下端レベルの間に合わせたログ壁情報を生成するものである
請求項１または２に記載のログハウスの構造設計装置。
【請求項４】
ログ壁のノッチ部からの延ばし量を設定する壁延ばし量設定手段を含み、
前記ログ壁生成手段は、前記壁延ばし量設定手段により設定された延ばし量に従ってログ材をノッチ部から延ばしたログ壁情報を生成するものである
請求項１から３のいずれか１項に記載のログハウスの構造設計装置。
【請求項５】
シルログの配置方向を設定するシルログ設定手段を含み、
前記ログ壁生成手段は、前記シルログ設定手段により設定された配置方向に従ってシルログを配置したログ壁情報を生成するものである
請求項１から４のいずれか１項に記載のログハウスの構造設計装置。
【請求項６】
開口部に枠材を入れるための溝の寸法を設定する溝寸法設定手段と、
開口部の属性として溝加工の有無を設定する溝加工設定手段とを含み、
前記ログ壁生成手段は、前記溝加工設定手段により属性として溝加工有りが設定されている開口部に対しては、前記溝寸法設定手段により設定された溝の寸法に従って溝を形成したログ壁情報を生成するものである
請求項１から５のいずれか１項に記載のログハウスの構造設計装置。
【請求項７】
開口部に形成するクリアランスの寸法を設定するクリアランス設定手段を含み、
前記ログ壁生成手段は、前記クリアランス設定手段により設定されたクリアランスの寸法に従って開口部を大きくしたログ壁情報を生成するものである
請求項１から６のいずれか１項に記載のログハウスの構造設計装置。
【請求項８】
ログ材を構造材とするログハウスの構造設計プログラムであって、
ログ材の寸法およびグルーブ形状に関する情報と、ログ材が交差する部分に形成されるノッチ部の形状および寸法に関する情報と記憶する記憶手段と、
ログハウスの矩計情報を設定する矩計情報設定手段と、
開口部および屋根形状を含む意匠情報を入力する意匠情報入力手段と、
ログ壁の配置を入力するログ壁入力手段と、
前記ログ壁入力手段により入力されたログ壁の配置および前記矩計情報設定手段により設定された矩計情報に従い、前記記憶手段に記憶されたログ材の寸法およびグルーブ形状に関する情報に基づいてログ材を配置し、各ログ材が交差する部分に、前記記憶手段に記憶されたノッチ部の形状および寸法に関する情報に基づいてノッチ部を形成し、かつ、前記意匠情報入力手段により入力された開口部および屋根形状に合わせたログ壁情報を生成するログ壁生成手段と
してコンピュータを機能させるためのログハウスの構造設計プログラム。
【発明の詳細な説明】
【技術分野】
【０００１】
本発明は、ログ材を構造材とするログハウスの構造設計装置および構造設計プログラムに関する。
【背景技術】
【０００２】
ログハウスを設計可能なシステムとして、例えば特許文献１には、側面における壁の有無および底面における床の有無で区別される所定の大きさの直方体状の基本ユニットのいずれであるかを示す基本ユニット種別を含む基本ユニット情報を格納する基本ユニットテーブルと、各ユニットについてユニット配置情報が格納されるユニット配置テーブルと、利用者の操作に従って基本ユニット情報を選択して基本ユニット種別で示される基本ユニットを配置し、それを拡大または縮小してもしくはそのままでユニットを形成し、隣接した２つのユニットの少なくとも一方が当該両ユニットの境に壁を有する場合に当該両ユニットの境界に１つの壁を配置し、形成されたユニットの配置情報を作成し、それを配置テーブルに格納するユニット配置部とを備える建築用ＣＡＤシステムが開示されている。
【先行技術文献】
【特許文献】
【０００３】
【特許文献１】特開２０１６−２１８８１８号公報
【発明の概要】
【発明が解決しようとする課題】
【０００４】
上記建築用ＣＡＤシステムは、部屋や吹き抜け、ベランダ等を任意の大きさで設計することができるというものであるが、基本的には基本ユニットテーブルに格納された側面における壁の有無および底面における床の有無で区別される所定の大きさの直方体状の基本ユニットの組み合わせによって設計するものであり、ログハウスの形状や間取りを自由に設計することができないという問題がある。
【０００５】
そこで、本発明においては、形状や間取りを自由にかつ容易に設計することが可能なログハウスの構造設計装置および構造設計プログラムを提供することを目的とする。
【課題を解決するための手段】
【０００６】
本発明のログハウスの構造設計装置は、ログ材を構造材とするログハウスの構造設計装置であって、ログ材の寸法およびグルーブ形状に関するマスター情報と、ログ材が交差する部分に形成されるノッチ部の形状および寸法に関するマスター情報と記憶する記憶手段と、ログハウスの矩計情報を設定する矩計情報設定手段と、開口部および屋根形状を含む意匠情報を入力する意匠情報入力手段と、ログ壁の配置を入力するログ壁入力手段と、ログ壁入力手段により入力されたログ壁の配置および矩計情報設定手段により設定された矩計情報に従い、記憶手段に記憶されたログ材の寸法およびグルーブ形状に関するマスター情報に基づいてログ材を配置し、各ログ材が交差する部分に、記憶手段に記憶されたノッチ部の形状および寸法に関するマスター情報に基づいてノッチ部を形成し、かつ、意匠情報入力手段により入力された開口部および屋根形状に合わせたログ壁情報を生成するログ壁生成手段とを含むものである。
【０００７】
本発明のログハウスの構造設計装置によれば、ログハウスの矩計情報を設定し、部屋、開口部および屋根形状を含む意匠情報を入力し、ログ壁の配置を入力すると、入力されたログ壁の配置および矩計情報設定手段により設定された矩計情報に従い、記憶手段に記憶されたログ材の寸法およびグルーブ形状に関するマスター情報に基づいてログ材が配置され、各ログ材が交差する部分に、記憶手段に記憶されたノッチ部の形状および寸法に関するマスター情報に基づいてノッチ部が形成され、かつ、入力された開口部および屋根形状に合わせたログ壁情報が自動的に生成され、このログ壁情報を構成するログ材それぞれの加工形状が決定される。
【０００８】
また、本発明のログハウスの構造設計装置は、ログ壁情報を構成するログ材の加工データを出力する出力手段を含むものであることが望ましい。これにより、ログ壁情報を構成するログ材であり、それぞれの加工形状が特定されたログ材の加工データが出力される。
【０００９】
また、本発明のログハウスの構造設計装置は、ログ壁入力手段が、ログ壁の上端レベルおよび下端レベルを指定可能であり、ログ壁生成手段が、上端レベルおよび下端レベルが指定されたログ壁に対しては、意匠情報入力手段により入力された屋根形状に関わらず、上端レベルおよび下端レベルの間に合わせたログ壁情報を生成するものであることが望ましい。これにより、上端レベルおよび下端レベルを指定したログ壁は、指定した上端レベルおよび下端レベルの間に合わせたものとして設計される。
【００１０】
また、本発明のログハウスの構造設計装置は、ログ壁のノッチ部からの延ばし量を設定する壁延ばし量設定手段を含み、ログ壁生成手段は、壁延ばし量設定手段により設定された延ばし量に従ってログ材をノッチ部から延ばしたログ壁情報を生成するものであることが望ましい。これにより、ログ材は、設定されたログ壁のノッチ部からの延ばし量に従って延ばされたものとして設計される。
【００１１】
また、本発明のログハウスの構造設計装置は、シルログの配置方向を設定するシルログ設定手段を含み、ログ壁生成手段は、シルログ設定手段により設定された配置方向に従ってシルログを配置したログ壁情報を生成するものであることが望ましい。これにより、シルログが、設定されたシルログの配置方向に従って配置されたログハウスが設計される。
【００１２】
また、本発明のログハウスの構造設計装置は、開口部に枠材を入れるための溝の寸法を設定する溝寸法設定手段と、開口部の属性として溝加工の有無を設定する溝加工設定手段とを含み、ログ壁生成手段が、溝加工設定手段により属性として溝加工有りが設定されている開口部に対しては、溝寸法設定手段により設定された溝の寸法に従って溝を形成したログ壁情報を生成するものであることが望ましい。これにより、枠材を入れる開口部については、属性として溝加工有りと設定することで、設定された溝の寸法に従って溝を形成したログ壁情報が自動的に生成され、このログ壁情報を構成するログ材それぞれの加工形状が決定される。
【００１３】
また、本発明のログハウスの構造設計装置は、開口部に形成するクリアランスの寸法を設定するクリアランス設定手段を含み、ログ壁生成手段が、クリアランス設定手段により設定されたクリアランスの寸法に従って開口部を大きくしたログ壁情報を生成するものであることが望ましい。これにより、開口部にクリアランスを形成する場合には、クリアランスの寸法を設定することで、設定されたクリアランスの寸法に従って自動的に開口部を大きくしたログ壁情報が生成され、このログ壁情報を構成するログ材それぞれの加工形状が決定される。
【００１４】
また、本発明のログハウスの構造設計プログラムは、ログ材を構造材とするログハウスの構造設計プログラムであって、ログ材の寸法およびグルーブ形状に関する情報と、ログ材が交差する部分に形成されるノッチ部の形状および寸法に関する情報と記憶する記憶手段と、ログハウスの矩計情報を設定する矩計情報設定手段と、開口部および屋根形状を含む意匠情報を入力する意匠情報入力手段と、ログ壁の配置を入力するログ壁入力手段と、ログ壁入力手段により入力されたログ壁の配置および矩計情報設定手段により設定された矩計情報に従い、記憶手段に記憶されたログ材の寸法およびグルーブ形状に関する情報に基づいてログ材を配置し、各ログ材が交差する部分に、記憶手段に記憶されたノッチ部の形状および寸法に関する情報に基づいてノッチ部を形成し、かつ、意匠情報入力手段により入力された開口部および屋根形状に合わせたログ壁情報を生成するログ壁生成手段としてコンピュータを機能させるためのものである。このプログラムを実行したコンピュータによれば、上記本発明のログハウスの構造設計装置と同様の作用、効果を奏することができる。
【発明の効果】
【００１５】
（１）本発明によれば、ログ壁入力手段により入力されたログ壁の配置および矩計情報設定手段により設定された矩計情報に従い、記憶手段に記憶されたログ材の寸法およびグルーブ形状に関するマスター情報に基づいてログ材が配置され、各ログ材が交差する部分に、記憶手段に記憶されたノッチ部の形状および寸法に関するマスター情報に基づいてノッチ部が形成され、かつ、入力された開口部および屋根形状に合わせたログ壁情報が自動的に生成されるので、このログ壁情報を構成するログ材それぞれの加工形状が決定され、ログハウスの形状や間取りを自由にかつ容易に設計することが可能となる。
【００１６】
（２）ログ壁情報を構成するログ材の加工データを出力する出力手段を含む構成により、ログ壁情報を構成するログ材であり、それぞれの加工形状が特定されたログ材の加工データが出力されるので、この出力された加工データに基づいてログ材を工場において加工し、現場で組み立てることが可能となる。
【図面の簡単な説明】
【００１７】
【図１】本発明の実施の形態におけるログハウスの構造設計装置のブロック図である。
【図２】ログ材に関するマスター情報の登録画面の例を示す図である。
【図３】ノッチ部の部分斜視図である。
【図４】ノッチ部の形状例を示す図である。
【図５】矩計情報の設定画面の例を示す図である。
【図６】階高の説明図である。
【図７】ログ情報設定画面の例を示す図である。
【図８】ログ壁の下部交差部の部分斜視図である。
【図９】部屋および開口部の入力例を示す図である。
【図１０】屋根形状の入力例を示す図である。
【図１１】開口部の属性設定画面の例を示す図である。
【図１２】溝加工有りの開口部の例を示す斜視図である。
【図１３】溝加工無しの開口部の例を示す斜視図である。
【図１４】棟木および垂木の入力例を示す図である。
【図１５】柱の入力例を示す図である。
【図１６】ログ壁の配置の入力とログ壁情報の生成例を示す図である。
【図１７】ログ壁情報の生成例を示す図である。
【図１８】ログ壁の属性指定画面の例を示す図である。
【図１９】上端レベルおよび下端レベルの間に合わせたログ壁情報の生成例を示す図である。
【図２０】端部形状として下端面取りの指定画面の例を示す図である。
【図２１】ログ梁の端部形状の指定例を示す図である。
【図２２】下端面取りを形成したログ壁情報の生成例を示す図である。
【図２３】要素配置の指定画面の例を示す図である。
【図２４】通しボルト、ダボおよび電気配線穴の配置例を示す図である。
【図２５】通しボルト穴、ダボ穴および電気配線穴が形成あれたログ壁情報の例を示す図である。
【図２６】ログ壁情報に基づくログ壁の断面図を出力した例を示す図である。
【図２７】ログ壁情報に基づくログ壁の断面図を出力した例を示す図である。
【図２８】ログ壁情報を構成するログ材の加工図を出力した例を示す図である。
【図２９】ログ壁情報を構成するログ材の加工図を出力した例を示す図である。
【図３０】木材の積算出力例を示す図である。
【図３１】ボルト、座金、ナットやダボ等の積算出力例を示す図である。
【発明を実施するための形態】
【００１８】
図１は本発明の実施の形態におけるログハウスの構造設計装置のブロック図である。図１に示すように、本発明の実施の形態におけるログハウスの構造設計装置１は、各種マスター情報等を記憶する記憶手段１０を有する。また、構造設計装置１は、記憶手段１０にマスター情報を登録するマスター情報登録手段１１を有する。なお、本実施形態におけるログハウスの構造設計装置１において取り扱うログ材は、四角形に製材された角ログ材である。
【００１９】
図２はマスター情報登録手段１１によるログ材に関するマスター情報の登録画面の例を示している。図２に示す登録画面では、ログ材の名称、寸法およびグルーブ形状（材巾、材成、かかり巾、グルーブ深さ、グルーブのオフセット・巾）に関するマスター情報を登録することが可能となっている。なお、グルーブとは、ログ材を組み上げる際にログ材同士を密着させるために天面および底面に刻む溝である。溝の形状としては、Ｖ字型、Ｍ字型やＵ字型などがある。
【００２０】
また、図２に示す登録画面では、ログ材が交差する部分に形成されるノッチ部４０（図３参照。）の形状（図４に示す角、斜め、外側角・内側斜め、外側斜め・内側角および方向（左・右））および寸法（巾、高さクリアランス、すきとり巾、すきとり深さ、面取り外側寸法）に関するマスター情報を登録することが可能となっている。
【００２１】
また、図１に示すように、本実施形態におけるログハウスの構造設計装置１は、ログハウスの矩計情報を設定する矩計情報設定手段１２を有する。図５は矩計情報設定手段１２による矩計情報の設定画面の例を示している。図５に示す設定画面では、ログハウスの矩計に関する情報として、基礎高、基礎パッキン厚および土台高と、各階の階高、床高、天井高および建具取付高とを設定することが可能となっている。なお、図６に示すように、階高６０はログ材６１の材成、グルーブ深さ、および段数により決定される。
【００２２】
また、図１に示すように、本実施形態におけるログハウスの構造設計装置１は、シルログの配置方向を設定するシルログ設定手段２０と、ログ壁の最も上のログとしてハーフログを使用するか否かを設定する壁上レベル設定手段２１と、ログ壁のノッチ部からの延ばし量を設定する壁延ばし量設定手段２２と、通しボルトの径を設定する通しボルト径設定手段２３と、ダボ長さを設定するダボ長さ設定手段２４と、開口部に枠材を入れるための溝の寸法を設定する溝寸法設定手段２５と、開口部等に形成するクリアランスの寸法を設定するクリアランス設定手段２６とを有する。
【００２３】
図７はログ情報設定画面の例を示している。図７に示すログ情報設定画面では、記憶手段１０にマスター情報が登録されているログ材をプルダウンメニュー７０により選択して、シルログ設定手段２０、壁上レベル設定手段２１、壁延ばし量設定手段２２、通しボルト径設定手段２３、ダボ長さ設定手段２４、溝寸法設定手段２５およびクリアランス設定手段２６によりそれぞれの項目を設定することが可能となっている。
【００２４】
図８に示すように、シルログ８０は、基礎または土台に積む最初のログであり、ログ材を半割りにして底面をフラットにしたハーフログである。シルログ設定手段２０では、このシルログ８０の基礎または土台上への配置方向として横優先または縦優先を選択して設定することができる。壁上レベル設定手段２１では、ログ壁の最も上のログとしてハーフログを使用するか否（フルログを使用する）かを選択して設定することができる。また、壁延ばし量設定手段２２では、図８に示すように、ログ壁のノッチ部８１からの延ばし量を設定する。
【００２５】
通しボルト径設定手段２３は、後述する通しボルト入力手段２８により入力する通しボルトの径を設定するものである。ダボ長さ設定手段２４は、後述するダボ入力手段２９により入力するダボ穴に挿入するダボの長さを設定するものである。溝寸法設定手段２５は、開口部に枠材を入れるための溝（キー）の寸法（巾および深さ）を設定するものである。クリアランス設定手段２６は、開口部に形成するクリアランスの寸法（開口上、開口下、開口左および開口右）を設定するものである。また、クリアランス設定手段２６では、ログ壁と野地とのクリアランスの寸法（対野地）を設定することが可能となっている。
【００２６】
また、図１に示すように、本実施形態におけるログハウスの構造設計装置１は、開口部および屋根形状を含む意匠情報を入力する意匠情報入力手段１３を有する。図９は意匠情報入力手段１３による部屋および開口部の入力例を、図１０は意匠情報入力手段１３による屋根形状の入力例を示している。
【００２７】
また、図１に示すように、本実施形態におけるログハウスの構造設計装置１は、各開口部の属性として溝加工の有無を設定する溝加工設定手段２７を有する。図１１は溝加工設定手段２７による開口部の属性設定画面の例を示している。溝加工設定手段２７では、意匠情報入力手段１３により入力した開口部のそれぞれについて、図１１に示すように、無目開口のチェックボックス１１０により溝加工の有無を設定することが可能となっている。
【００２８】
なお、無目開口とは、図１３に示すような内部の建具が取り付かない開口部１３０であり、図１１に示す無目開口のチェックボックス１１０にチェックを入れることで、溝加工無しと設定することができる。一方、図１２に示すように、開口部１２０に溝１２１を加工する場合、このチェックボックス１１０にチェックを入れないことで、溝加工有りと設定することができる。
【００２９】
その他、意匠情報入力手段１３では、図１４および図１５に示すように、柱、棟木（母屋）や垂木などを入力することが可能となっている。
【００３０】
また、図１に示すように、本実施形態におけるログハウスの構造設計装置１は、ログ壁の配置を入力するログ壁入力手段１４と、ログ壁入力手段１４により入力されたログ壁の配置および矩計情報設定手段１２により設定された矩計情報に従ってログ壁情報を生成するログ壁生成手段１５と、出力手段１６とを有する。
【００３１】
図１６に示すように、前述の意匠情報入力手段１３により入力した意匠情報１６０に対してログ壁入力手段１４によりログ壁の配置を入力すると、ログ壁生成手段１５によってログ壁情報１６１が生成される。ここで、ログ壁生成手段１５は、ログ壁入力手段１４により入力されたログ壁の配置および矩計情報設定手段１２により設定された矩計情報に従い、記憶手段１０に記憶されたログ材の寸法およびグルーブ形状に関するマスター情報に基づいてログ材を配置し、各ログ材が交差する部分に、記憶手段１０に記憶されたノッチ部の形状および寸法に関するマスター情報に基づいてノッチ部を形成し、かつ、意匠情報入力手段１３により入力された開口部および屋根形状に合わせたログ壁情報を生成する。
【００３２】
図１７は全てのログ壁がログ壁入力手段１４により入力され、ログ壁生成手段１５によりログ壁情報が生成された例を示している。図１７に示すように、各ログ材が交差する部分には、ノッチ部の形状および寸法に関するマスター情報に基づいてノッチ部（ハーフノッチ部）が形成され、かつ、意匠情報入力手段１３により入力された開口部および屋根形状に合わせたログ壁情報が生成される。
【００３３】
このとき、ログ壁生成手段１５は、前述の壁延ばし量設定手段２２により設定された延ばし量に従って、図８に示すようにシルログ８０を含めてログ材８２をノッチ部８１から延ばしたログ壁情報を生成する。また、ログ壁生成手段１５は、前述の溝加工設定手段２７により属性として溝加工有りが設定されている開口部１２０（図１２参照。）に対しては、溝寸法設定手段２５により設定された溝の寸法に従って溝１２１を形成したログ壁情報を生成する。また、ログ壁生成手段１５は、クリアランス設定手段２６により設定された開口上、開口下、開口左および開口右のクリアランスの寸法に従って開口部を大きくしたログ壁情報を生成する。また、ログ壁生成手段１５は、クリアランス設定手段２６により設定された対野地のクリアランスの寸法に従ってログ壁の上端面を下げたログ壁情報を生成する。また、ログ壁生成手段１５は、前述のシルログ設定手段２０により設定された配置方向に従ってシルログ８０（図８参照。）を配置したログ壁情報を生成する。
【００３４】
また、ログ壁入力手段１４では、図１８に示すように、各ログ壁の属性として、ログ壁の上端レベル（上レベル）および下端レベル（下レベル）を指定可能となっている。ログ壁生成手段１５は、これらの上端レベルおよび下端レベルが指定されたログ壁に対しては、意匠情報入力手段１３により入力された屋根形状に関わらず、図１９に示すように、上端レベルおよび下端レベルの間に合わせたログ壁情報１８０を生成する。
【００３５】
さらに、本実施形態におけるログ壁入力手段１４では、図２０に示すように、ログ梁等の端部形状として下端面取りを指定することが可能となっている。この下端面取りでは、図２０に示すように、加工高さおよび加工長さを指定して、図２１に示すようにログ梁２１０を指定することで、このログ梁２１０の端部形状として下端面取りを指定することが可能である。ログ壁生成手段１５は、この下端面取りが指定されたログ梁２１０に対して、図２２に示すように、指定された加工高さおよび加工長さの下端面取り２２０を形成したログ壁情報を生成する。
【００３６】
また、本実施形態におけるログハウスの構造設計装置１は、通しボルトの位置を入力する通しボルト入力手段２８と、ダボの位置を入力するダボ入力手段２９と、電気配線穴の位置を入力する電気配線穴入力手段３０とを有する。
【００３７】
図２３は配置する要素の指定画面の例である。通しボルト入力手段２８では、この指定画面により通しボルトを指定し、図２４に示すように、ログ壁２４０の下端２４１または上端２４２を指定すると、自動的にログ壁の高さで通しボルト２４３が配置される。ダボ入力手段２９および電気配線穴入力手段３０も同様に指定することで、それぞれダボ２４４および電気配線穴２４５が配置される。なお、開口部２４６上に通しボルトを入力した場合は、開口部２４６上からログ壁２４０上までの高さで通しボルト２４７が配置される。
【００３８】
そして、ログ壁生成手段１５は、図２５に示すように、通しボルト入力手段２８およびダボ入力手段２９によりそれぞれ入力された通しボルト２４３，２４７およびダボ２４４の位置に通しボルト穴２５０，２５１およびダボ穴２５２を形成し、電気配線穴入力手段３０により入力された電気配線穴２４５を形成したログ壁情報を生成する。このとき、ボルト穴２５０，２５１は、前述のように通しボルト径設定手段２３により設定された通しボルトの径に対応する穴径で形成される。
【００３９】
上記構成のログハウスの構造設計装置１では、設計作業者は、まず、マスター情報登録手段１１により、図２に示すようにログ材に関するマスター情報を登録した後、矩計情報設定手段１２により、図５に示すようにログハウスの矩計情報を設定する。次に、図７に示すログ情報設定画面において、ログハウスに使用するログ材をプルダウンメニュー７０により選択し、シルログ設定手段２０、壁上レベル設定手段２１、壁延ばし量設定手段２２、通しボルト径設定手段２３、ダボ長さ設定手段２４、溝寸法設定手段２５およびクリアランス設定手段２６によりそれぞれの項目を設定する。
【００４０】
これらの初期設定が完了した後、設計作業者は、意匠情報入力手段１３により、図９および図１０に示すように部屋、開口部および屋根形状等を入力する。このとき、開口部のそれぞれについては、溝加工設定手段２７により、図１１に示すように溝加工の有無（チェックボックス１１０）を設定することが可能である。また、設計作業者は、意匠情報入力手段１３により、図１４および図１５に示すように柱、棟木（母屋）や垂木などを入力する。
【００４１】
そして、設計作業者が、図１６に示すように意匠情報入力手段１３により入力した意匠情報１６０に対してログ壁入力手段１４によりログ壁の配置を入力すると、ログ壁生成手段１５によって開口部および屋根形状に合わせたログ壁情報１６１が生成される。また、図１７に示すように、各ログ材が交差する部分には、ログ壁生成手段１５によってノッチ部（ハーフノッチ部）が形成される。
【００４２】
また、設計作業者が、図２４に示すように、通しボルト入力手段２８、ダボ入力手段２９および電気配線穴入力手段３０によりそれぞれ通しボルト２４３，２４７、ダボ２４４および電気配線穴２４５を入力すると、ログ壁生成手段１５により、図２５に示すようにボルト穴２５０，２５１、ダボ穴２５２および電気配線穴２４５を形成したログ壁情報が生成される。
【００４３】
こうして生成されたログ壁情報は、図１に示す出力手段１６により様々な出力形式で出力することができる。図２６および図２７は出力手段１６によりログ壁情報に基づくログ壁の断面図を出力した例を示している。図２８および図２９は出力手段１６によりログ壁情報を構成するログ材の加工図を出力した例を示している。また、出力手段１６は、ログ壁情報を構成するログ材の加工データを出力することも可能である。この出力された加工データは、ログ材加工機に入力され、ログ材が加工される。
【００４４】
また、出力手段１６は、ログ壁情報に基づいて、図３０に示すようにログハウスに使用する木材を積算出力したり、図３１に示すようにボルト、座金、ナットやダボ等を積算出力したりすることが可能となっている。
【００４５】
以上のように、本実施形態におけるログハウスの構造設計装置１によれば、ログ壁入力手段１４により入力されたログ壁の配置および矩計情報設定手段１２により設定された矩計情報に従い、記憶手段１０に記憶されたログ材の寸法およびグルーブ形状に関するマスター情報に基づいてログ材が配置され、各ログ材が交差する部分に、記憶手段１０に記憶されたノッチ部の形状および寸法に関するマスター情報に基づいてノッチ部が形成され、かつ、入力された開口部および屋根形状に合わせたログ壁情報が自動的に生成されるので、このログ壁情報を構成するログ材それぞれの加工形状が決定され、ログハウスの形状や間取りを自由にかつ容易に設計することが可能となっている。
【００４６】
また、本実施形態におけるログハウスの構造設計装置１では、出力手段１６により、ログ壁情報を構成するログ材の加工データを出力することが可能であり、ログ壁情報を構成するログ材であり、それぞれの加工形状が特定されたログ材の加工データが出力されるので、この出力された加工データに基づいてログ材を工場において加工し、現場で組み立てることが可能となっている。
【００４７】
なお、本実施形態におけるログハウスの構造設計装置１は、コンピュータを上述の各手段として機能させるための構造設計プログラムを、このコンピュータ上で実行することによっても実現可能である。
【産業上の利用可能性】
【００４８】
本発明は、ログ材を構造材とするログハウスの構造設計装置および構造設計プログラムとして有用であり、特に、形状や間取りを自由にかつ容易に設計することが可能なログハウスの構造設計装置および構造設計プログラムとして好適である。
【符号の説明】
【００４９】
１  構造設計装置
１０  記憶手段
１１  マスター情報登録手段
１２  矩計情報設定手段
１３  意匠情報入力手段
１４  ログ壁入力手段
１５  ログ壁生成手段
１６  出力手段
２０  シルログ設定手段
２１  壁上レベル設定手段
２２  壁延ばし量設定手段
２３  通しボルト径設定手段
２４  ダボ長さ設定手段
２５  溝寸法設定手段
２６  クリアランス設定手段
２７  溝加工設定手段
２８  通しボルト入力手段
２９  ダボ入力手段
３０  電気配線穴入力手段
４０  ノッチ部
６１  ログ材
８０  シルログ
８１  ノッチ部
８２  ログ材
【図１】
2018200511.tif 000003
【図２】
2018200511.tif 000004
【図３】
2018200511.tif 000005
【図４】
2018200511.tif 000006
【図５】
2018200511.tif 000007
【図６】
2018200511.tif 000008
【図７】
2018200511.tif 000009
【図８】
2018200511.tif 000010
【図９】
2018200511.tif 000011
【図１０】
2018200511.tif 000012
【図１１】
2018200511.tif 000013
【図１２】
2018200511.tif 000014
【図１３】
2018200511.tif 000015
【図１４】
2018200511.tif 000016
【図１５】
2018200511.tif 000017
【図１６】
2018200511.tif 000018
【図１７】
2018200511.tif 000019
【図１８】
2018200511.tif 000020
【図１９】
2018200511.tif 000021
【図２０】
2018200511.tif 000022
【図２１】
2018200511.tif 000023
【図２２】
2018200511.tif 000024
【図２３】
2018200511.tif 000025
【図２４】
2018200511.tif 000026
【図２５】
2018200511.tif 000027
【図２６】
2018200511.tif 000028
【図２７】
2018200511.tif 000029
【図２８】
2018200511.tif 000030
【図２９】
2018200511.tif 000031
【図３０】
2018200511.tif 000032
【図３１】
2018200511.tif 000033